(57)【要約】      （修正有）【課題】ユーザにとって価値のある提案を行うための情報を生成する。【解決手段】家庭内に設置可能な電子機器の操作履歴を取得する操作履歴取得部と、前記操作履歴取得部により取得された操作履歴に基づいて、操作履歴が類似するユーザを生活パターンが類似するユーザとしてグループ化することにより、前記電子機器を操作したユーザの生活パターンを類型化する類型化部と、類型化部により類型化されたユーザの生活パターンに基づいて、当該ユーザに提供する情報を生成する情報生成部を備える情報処理装置。【選択図】図１
2014215889.tif 000002
【特許請求の範囲】
【請求項１】
家庭内に設置可能な電子機器の操作履歴を取得する操作履歴取得部と、
前記操作履歴取得部により取得された操作履歴に基づいて、前記電子機器を操作したユーザの生活パターンを類型化する類型化部と、
を備える情報処理装置。
【請求項２】
請求項１記載の情報処理装置であって、
前記類型化部は、前記操作履歴取得部により取得された操作履歴が類似するユーザを、生活パターンが類似するユーザとしてグループ化することにより、前記電子機器を操作したユーザの生活パターンを類型化する、
情報処理装置。
【請求項３】
請求項１または２記載の情報処理装置であって、
前記類型化部により類型化されたユーザの生活パターンに基づいて、当該ユーザに提供する情報を生成する情報生成部を更に備える、
情報処理装置。
【請求項４】
請求項３記載の情報処理装置であって、
ユーザの嗜好に関する情報を取得する嗜好情報取得部を更に備え、
前記情報生成部は、前記類型化部により類型化されたユーザの生活パターンと、当該ユーザについて前記嗜好情報取得部により取得された嗜好に関する情報とに基づき、当該ユーザに提供する情報を生成する、
情報処理装置。
【請求項５】
請求項４記載の情報処理装置であって、
前記情報生成部は、前記ユーザが属するグループ内のユーザについての嗜好に関する情報を集計した情報と、当該ユーザの嗜好に関する情報との重複部分を除いた情報を、当該ユーザに提供する情報として生成する、
情報処理装置。
【請求項６】
請求項３から５のうちいずれか１項記載の情報処理装置であって、
前記類型化部により類型化されたユーザの生活パターンを含む情報に基づいて、当該ユーザの属性情報を生成する属性情報生成部を更に備え、
前記情報生成部は、前記属性情報生成部により生成された属性情報に基づき、当該ユーザに提供する情報を生成する、
情報処理装置。
【請求項７】
家庭内に設置可能な電子機器であって、特定のユーザに対応付けられた電子機器が、該電子機器の操作履歴を送信し、
前記情報処理装置が、前記電子機器より取得した操作履歴に基づき、操作履歴が類似するユーザを、生活パターンが類似するユーザとしてグループ化することにより、ユーザの生活パターンを類型化すると共に、該類型化されたユーザの生活パターンに基づいて、当該ユーザに提供する情報を生成して情報提供装置に送信し、
前記情報提供装置が、前記情報処理装置より取得した情報を当該ユーザに提供する、
情報提供方法。
【発明の詳細な説明】
【技術分野】
【０００１】
本発明は、情報処理装置、および情報提供方法に関する。
【背景技術】
【０００２】
従来、ユーザに関する情報を取得し、情報を解析することにより、ユーザが興味を持つであろう商品等を導出し、これをユーザに提案する技術について研究および実用化がなされている。
【０００３】
これに関連し、複数のユーザ分類手法を用いてユーザの集合を複数のクラスタに分割することで得られる複数のクラスタ分割結果を組み合わせて、ユーザにアイテムを推薦する情報推薦システムが知られている（特許文献１参照）。このシステムは、各ユーザの嗜好を示すベクトル間の距離を複数のユーザ類似度メトリックで計測し、各ユーザ類似度メトリックで計測したベクトル間の距離に基づいてユーザの集合を複数のクラスタに分割し、複数のクラスタ分割結果を組み合わせて、ユーザの嗜好を抽出する。
【０００４】
また、通信装置の操作履歴やＧＰＳ（Global  Positioning  System）情報を用いた日常的な行動場所に関する情報等に基づいて、ユーザの嗜好を分析する情報提供システムが知られている（特許文献２参照）。このシステムが参照する操作履歴とは、Ｗｅｂサイトの閲覧履歴や検索履歴、動画の視聴履歴を含み、このシステムは、これらの履歴等に基づいてユーザの嗜好を分析する。
【先行技術文献】
【特許文献】
【０００５】
【特許文献１】特開２０１３−２９８７２号公報
【特許文献２】特開２０１２−２０８６６１号公報
【発明の概要】
【発明が解決しようとする課題】
【０００６】
上記各文献に記載された技術は、各種情報に基づきユーザの嗜好を直接的に分析ないし推定するものであるため、ユーザに提案可能な情報が画一的となり、ユーザにとって価値のある提案を行うことができない場合がある。
【０００７】
本発明は、このような事情を考慮してなされたものであり、ユーザにとって価値のある提案を行うための情報を生成することを目的の一つとする。
【課題を解決するための手段】
【０００８】
本発明の一態様は、家庭内に設置可能な電子機器の操作履歴を取得する操作履歴取得部と、前記操作履歴取得部により取得された操作履歴に基づいて、前記電子機器を操作したユーザの生活パターンを類型化する類型化部と、を備える情報処理装置である。
【発明の効果】
【０００９】
本発明の一態様によれば、ユーザにとって価値のある提案を行うための情報を生成することができる。
【図面の簡単な説明】
【００１０】
【図１】本発明の第１実施形態に係る情報処理装置１００を含む情報処理システムの構成例を示す図である。
【図２】操作／作動履歴情報２１０としてデータベース管理システム２００が保持する情報の一例を示す図である。
【図３】ユーザＩＤと電子機器との対応付けが、データベース管理システム２００に登録されるまでの一連の流れを模式的に示す図である。
【図４】データベース管理システム２００が管理する操作／作動履歴情報２１０のうち、テレビ視聴履歴の内容を模式的に示す図である。
【図５】情報処理装置１００のハードウェア構成の一例を示す図である。
【図６】類型化処理部１５０により生成される特徴ベクトルの内容を例示した図である。
【図７】パターン化されたユーザの嗜好に関する情報の一例を示す図である。
【図８】生活パターンが類似するグループ毎にユーザの嗜好に関する情報が集計された情報の一例を示す図である。
【図９】本実施形態の情報処理システムにより実行される処理の流れを示すシーケンス図の一例である。
【図１０】第４実施形態に係る情報処理装置１００の機能構成の一例を示す図である。
【図１１】類型化処理部１５０が、テレビ視聴履歴に基づいて複数のクラスタリング処理を行う様子を模式的に示す図である。
【発明を実施するための形態】
【００１１】
以下、図面を参照し、本発明の情報処理装置、および情報提供方法の実施形態について説明する。
＜第１実施形態＞
図１は、本発明の第１実施形態に係る情報処理装置１００を含む情報処理システムの構成例を示す図である。本実施形態の情報処理システムでは、ユーザ１、２、‥、ｎの家庭内に設置可能な電子機器１―１、１―２、‥、１―ｍ、２―１、２―２、‥、２―ｋ、‥ｎ―１、‥（ｎ、ｍ、ｋは任意の整数）が、ネットワークＮＷに接続されている。ネットワークＮＷには、更に、情報処理装置１００、データベース管理システム２００、販売／レンタル管理装置３００および情報提供装置４００が接続される。
【００１２】
ネットワークＮＷは、例えば、ＷＡＮ（Wide  Area  Network）、ＬＡＮ（Local  Area  Network）、ＰＳＴＮ（Public  Switched  Telephone  Network；公衆交換電話網）、ＶＰＮ（Virtual  Private  Network）網、専用通信回線網、携帯電話網、ＰＨＳ（Personal  Handy-phone  System）網など、またはこれらの組み合わせによって構成される情報通信ネットワークである。
【００１３】
各ユーザの家庭内に在る電子機器は、例えば、テレビジョン受像機、空調装置、洗濯機、冷蔵庫、掃除機、電子レンジなどの家電機器を含み、パーソナルコンピュータや携帯電話等の情報端末を含んでもよいし、含まないものとしてよい。各電子機器は、自機に対してなされたユーザの操作履歴や作動履歴を、ネットワークＮＷを介してデータベース管理システム２００に送信する。データベース管理システム２００は、例えば、リレーショナルデータベース管理システム（RDBMS；Relational  DataBase  Management  System）や非リレーショナルデータベース管理システム（NoSQL；Not  only  SQL）である。データベース管理システム２００は、ＨＤＤ（Hard  Disk  Drive）やＳＳＤ（Solid  State  Drive）等の記憶装置に、操作／作動履歴情報２１０や購入／レンタル履歴情報２２０を保持する。
【００１４】
データベース管理システム２００は、各電子機器から受信した操作履歴や作動履歴を、ユーザの識別情報（以下、ユーザＩＤ）に対応付けて、操作／作動履歴情報２１０として保持する。図２は、操作／作動履歴情報２１０としてデータベース管理システム２００が保持する情報の一例を示す図である。例えば、ユーザＩＤが１であるユーザのテレビ視聴履歴は、＊＊日＊＊時＊＊分〜＊＊日＊＊時＊＊分の時間帯でのＸチャネルの視聴（又は録画）である。操作／作動履歴情報２１０には、ユーザ毎に（ユーザＩＤ毎に）、テレビジョン受像器から取得されるテレビ視聴履歴（後述）、各電子機器から受信した操作履歴が格納される。操作履歴には、各電子機器のオン／オフ操作の履歴に加えて、空調装置における温度調節操作の履歴、洗濯機における衣服の計測量や時間設定の履歴、冷蔵庫の温度調節操作や開閉操作の履歴、掃除機の作動履歴、電子レンジの作動時間の履歴などが含まれてよい。
【００１５】
ユーザＩＤと電子機器との対応付けは、例えば、電子機器の購入時に何らかのユーザの識別情報が、電子機器の固有の識別情報（以下、電子機器ＩＤ）と共にデータベース管理システム２００に登録されることによって行われる。本実施形態の情報処理システムと提携する販売／レンタル業者は、ユーザにポイントカードや会員カード等を付与すると共に、当該ポイントカードや会員カード等の識別情報（カードＩＤ、会員番号等）を、データベース管理システム２００に登録する。データベース管理システム２００は、登録された識別情報に対応付けられた任意のユーザＩＤを設定する。データベース管理システム２００は、登録されたカードＩＤや会員番号を、そのままユーザＩＤとしてもよい。
【００１６】
図３は、ユーザＩＤと電子機器との対応付けが、データベース管理システム２００に登録されるまでの一連の流れを模式的に示す図である。ユーザがポイントカードや会員カード等のカードに加入すると、会員番号等の識別情報が、データベース管理システムに登録される（図３における（１））。その後、ポイントカードや会員カード等を用いて電子機器が購入されると、カードの識別情報と電子機器ＩＤとを対応付ける情報が、購入店における購入／レンタル管理装置３００からデータベース管理システム２００に送信される（図３における（２））。購入／レンタル管理装置３００は、販売店やビデオ等のレンタル店の店舗に設置された端末装置の他、当該端末装置とネットワークＮＷを介して接続された管理サーバ、或いはネットワークＮＷを介して通信販売を行う販売サーバ等を含んでよい。データベース管理システム２００は、受信した識別情報に対応するユーザＩＤと電子機器ＩＤとの対応付けを行い、操作／作動履歴情報２１０のラベル情報に追加する。
【００１７】
また、あるユーザについて、１つの電子機器がユーザＩＤに対応してデータベース管理システム２００に登録されると、同じユーザの使用する他の電子機器は、例えばネットワークＮＷに接続するためのルータ等のＩＰアドレスが共通するため、データベース管理システム２００において、当該ユーザのユーザＩＤに対応付けることができる（図３における（３））。なお、このような流れはあくまで一例であり、ユーザがパーソナルコンピュータを用いてデータベース管理システム２００や情報処理装置１００にアクセスし、自己が保有する電子機器の電子機器ＩＤを、手動で入力してもよい。
【００１８】
ここで、テレビ視聴履歴について説明する。テレビジョン受像器である電子機器は、ユーザが電源をオンにする操作をして、更に番組を選択する操作を行うことにより番組を視聴した時間帯を、ユーザによって選択された放送局、および対応する番組名、番組のジャンルと共にネットワークＮＷを介してデータベース管理システム２００へ送信する。図４は、データベース管理システム２００が管理する操作／作動履歴情報２１０のうち、テレビ視聴履歴の内容を模式的に示す図である。例えば、ユーザＩＤが１であるユーザは、２０１３年３月４日の午前０時〜２時の時間帯に放送局Ｂのスポーツ番組の視聴（又は録画）を行っていた。
【００１９】
また、データベース管理システム２００が管理する購入／レンタル履歴情報２２０は、購入／レンタル管理装置３００から送信される情報に基づいて蓄積される。購入／レンタル管理装置３００は、ユーザにより購入またはレンタルされた商品（電子機器およびその他の商品を含む）の情報を、ネットワークＮＷを介してデータベース管理システム２００に送信する。
【００２０】
以下、情報処理装置１００について説明する。図５は、情報処理装置１００のハードウェア構成の一例を示す図である。情報処理装置１００は、例えば、例えば、ＣＰＵ１１０と、ドライブ装置１１２と、記憶装置１１６と、メモリ装置１１８と、表示装置１２０と、入力装置１２２と、インターフェース装置１２４とを備える。
【００２１】
ＣＰＵ１１０は、記憶装置１１６やメモリ装置１１８に格納された各種プログラムを実行する。ドライブ装置１１２には、ＵＳＢメモリ、ＣＤ（Compact  Disc）、ＤＶＤ（Digital  Versatile  Disc）、ＳＤカードなどの記憶媒体１１４が装着される。記憶装置１１６は、例えば、ＨＤＤ、フラッシュメモリ、ＲＯＭ（Read  Only  Memory）等を含む。メモリ装置１１８は、例えば、ＲＡＭ（Random  Access  Memory）やレジスタ等を含む。表示装置１２０は、液晶ディスプレイ装置や有機ＥＬ（Electroluminescence）表示装置などである。入力装置１２２は、キーボード、マウス、タッチパッドその他の入力装置である。インターフェース装置１２４は、ネットワークＮＷに接続するためのネットワークカードなどを含む。
【００２２】
図１に戻り、説明を行う。情報処理装置１００は、ＣＰＵ１１０が記憶装置１１６やメモリ装置１１８に格納されたプログラムを実行することにより機能する機能部として、操作／作動履歴取得部１３０と、購入／レンタル履歴取得部１４０と、類型化処理部１５０と、情報生成部１６０とを備える。プログラムは、記憶媒体１１４に格納されたものが記憶装置１１６等にインストールされてもよいし、ネットワークＮＷおよびインターフェース装置１２４を介して他のコンピュータから取得されてもよい。なお、これらの機能部の一部または全部は、ＩＣ（Integrated  Circuit）やＬＳＩ（Large  Scale  Integration）などのハードウェア機能部であってもよい。
【００２３】
操作／作動履歴取得部１３０は、データベース管理システム２００から操作／作動履歴情報２１０を取得し、メモリ装置１１８や記憶装置１１６に格納する。購入／レンタル履歴取得部１４０は、データベース管理システム２００から購入／レンタル履歴情報２２０を取得し、メモリ装置１１８や記憶装置１１６に格納する。なお、操作／作動履歴取得部１３０と購入／レンタル履歴取得部１４０は統合され、操作／作動履歴情報２１０や購入／レンタル履歴情報２２０を一括して取得する機能部であってよい。
【００２４】
類型化処理部１５０は、操作／作動履歴取得部１３０により取得された操作／作動履歴情報２１０に含まれる操作履歴が類似するユーザを、生活パターンが類似するユーザとしてグループ化することにより、ユーザの生活パターンを類型化する。ここで、本発明の各実施形態における生活パターンとは、例えば、ユーザが家庭内で活動していると推定される時間帯と、それ以外の時間帯（家庭外にいる時間帯、睡眠中である時間帯）を区別してパターン化した情報である。また、これに限らず、生活パターンとは、ユーザが家庭外にいると推定される時間帯をパターン化したものであってもよいし、ユーザが家庭内にいると推定される時間帯をパターン化したものであってもよい。類型化処理部１５０は、例えば、操作／作動履歴情報２１０に含まれる操作履歴（操作／作動履歴情報２１０から、洗濯機における衣服の計測量や電子レンジの作動時間などを除外したものである）に基づき、ユーザ毎の特徴ベクトル（パターン化された上記情報）を生成する。
【００２５】
図６は、類型化処理部１５０により生成される特徴ベクトルの内容を例示した図である。特徴ベクトルは、例えば、平日、土曜日、日曜日のそれぞれについて、時間帯毎に、いずれかの電子機器の操作がなされた回数をカウントし、更に、平日、土曜日、日曜日毎の合計値が１００になるように係数を乗じて正規化を行ったものである。また、他の例として、特徴ベクトルは、平日、土曜日、日曜日のそれぞれについて、時間帯毎に、テレビの視聴時間を積算し、平日、土曜日、日曜日毎の合計値が１００になるように係数を乗じて正規化を行ったものであってもよい。また、特徴ベクトルは、電子機器の操作とテレビの視聴時間の双方を反映したものであってもよい（例えば、視聴時間３０分を１回の操作に換算して回数をカウントしてもよい）。
【００２６】
そして、類型化処理部１５０は、クラスタリング処理によって特徴ベクトル同士が類似すると判定されるユーザを、生活パターンが類似するユーザとしてグループ化する。クラスタリングの手法としては、階層クラスタリング、ｋ―ｍｅａｎｓ、自己組織化マップ（SOM；Self-Organizing  Maps）等、任意の手法を用いることができる。図６の例では、類型化処理部１５０は、ユーザＩＤが１のユーザ（以下、ユーザ１とする）とユーザ２がグループ１に属し、ユーザ３とユーザ４がグループ２に属するという類型化結果を得た。
【００２７】
情報生成部１６０は、類型化処理部１５０により類型化されたユーザの生活パターンに基づいて、当該ユーザに提供する情報を生成する。第１実施形態では、情報生成部１６０は、ユーザの嗜好に関する情報と、類型化されたユーザの生活パターンとに基づいて、当該ユーザに提供する情報を生成する。以下、これについて説明する。
【００２８】
まず、情報生成部１６０は、ユーザ毎に、ユーザの嗜好に関する情報をパターン化する。ユーザの嗜好に関する情報とは、ユーザが好んで視聴、購入、或いはレンタル等する対象をいい、具体的には、テレビ視聴履歴における番組名や番組のジャンル、購入／レンタル履歴情報２２０に含まれる商品のジャンル等が該当する。図７は、パターン化されたユーザの嗜好に関する情報の一例を示す図である。情報生成部１６０は、視聴や購入、或いはレンタルなどの行為が１回なされる毎に、該当するデータ項目に１を加算してもよいし、上記行為が何回かなされたときに、該当するデータ項目に１を加算してもよい。また、情報生成部１６０は、「番組」や「書籍」などのデータラベルに応じて、加算ルールを異ならせてもよい。
【００２９】
次に、情報生成部１６０は、パターン化されたユーザの嗜好に関する情報を、類型化処理部１５０により決定された「生活パターンが類似するグループ」毎に集計する。係る集計の手法としては、（１）単にグループ内のユーザ間で加算する、（２）平均を求める、（３）ゼロでないユーザが過半数以上である項目についてのみ集計するなど、種々の手法が採用され得る。図８は、生活パターンが類似するグループ毎にユーザの嗜好に関する情報が集計された情報の一例を示す図である。このように集計した情報は、各グループに属するユーザに共通してあてはまる可能性の高い、嗜好に関する情報といえる。
【００３０】
そして、情報生成部１６０は、集計した情報を得ると、集計した情報と、各ユーザの嗜好に関する情報との重複部分を除いた情報を、当該ユーザに提供する情報として生成する。図７および図８の例では、グループ１の集計データにおいて「番組Ｄ」が「２」となっているのに対し、グループ１に属するユーザ１の嗜好としては「番組Ｄ」がゼロとなっている。すなわち、グループ１のユーザは番組Ｄを好んで視聴しているにも拘わらず、同じグループ１に属する（生活パターンがグループ１内のユーザと類似する）ユーザ１は、番組Ｄを視聴していないことが分かる。このため、ユーザ１は、番組Ｄに興味を持つ可能性が高いと考えられる。従って、情報生成部１６０は、ユーザ１に対して番組Ｄに関する情報（広告情報）を生成し、情報提供装置４００に送信する。係る処理によって、情報処理装置１００は、ユーザが今まで気付かなかった番組や商品のジャンルに関する情報、すなわちユーザにとって価値のある提案を行うための情報を生成することができる。
【００３１】
情報提供装置４００は、ユーザの提供する情報の種類に応じて、種々のものが使用される。例えば、情報提供装置４００は、ユーザの保有する携帯電話やタブレット端末、パーソナルコンピュータなどの端末装置、テレビジョン受像器等であってもよいし、販売店やレンタル店などに設置される情報提供端末であってもよい。後者の場合、例えば、図３で説明したカードをユーザが読取装置にかざすと、カードの会員番号等が読み取られて情報処理装置１００に送信される。情報処理装置１００は、会員番号等に対応するユーザＩＤを抽出し、当該ユーザＩＤに対応して情報生成部１６０が生成した情報を、情報提供装置４００に送信する。情報提供装置４００は、カードをかざしたユーザが視認できるように、情報処理装置１００から受信した情報を表示装置の画面に表示する。これによって、ユーザは、これから購入またはレンタルする商品等を自ら探す手間を省くことができる。
【００３２】
図９は、本実施形態の情報処理システムにより実行される処理の流れを示すシーケンス図の一例である。情報処理システムを構成する電子機器は、ユーザによる操作履歴、その他の情報を、データベース管理システム２００に送信する（ステップＳ５００）。また、購入／レンタル管理装置３００は、ユーザが購入またはレンタルした商品に関する情報を、データベース管理システム２００に送信する（ステップＳ５０２）。データベース管理システム２００は、受信した情報をユーザＩＤに対応付けて整理し（ステップＳ５０４）、情報処理装置１００に送信する（ステップＳ５０６）。
【００３３】
情報処理装置１００は、取得した情報に基づいてユーザの生活パターンを類型化し（ステップＳ５０８）、類型化されたユーザの生活パターンと、ユーザについての嗜好に関する情報とに基づき、当該ユーザに提供する情報を生成する（ステップＳ５１０）。情報処理装置１００は、生成した情報を情報提供装置４００に送信し（ステップＳ５１２）、情報提供装置４００が、受信した情報をユーザに提供する（ステップＳ５１４）。
【００３４】
以上説明した第１実施形態の情報処理装置１００によれば、電子機器からデータベース管理システム２００を介して取得した情報に基づいてユーザの生活パターンを類型化し、類型化されたユーザの生活パターンと、ユーザについての嗜好に関する情報とに基づき、ユーザに提供する情報を生成するため、ユーザにとって価値のある提案を行うための情報を生成することができる。
【００３５】
＜第２実施形態＞
以下、本発明の第２実施形態に係る情報処理装置１００、およびその情報提供方法について説明する。第２実施形態に係る情報処理装置１００は、情報生成部１６０の処理が第１実施形態と異なり、その他の機能部の処理は第１実施形態と共通するため、ここでは情報生成部１６０の処理についてのみ説明する。
【００３６】
第２実施形態に係る情報生成部１６０は、パターン化されたユーザの嗜好に関する情報（図７参照）と、生活パターンが類似するグループ毎にユーザの嗜好に関する情報が集計された情報（図８参照）との重複部分に関する情報を、当該ユーザに提供する情報として生成する。図７および図８の例では、情報生成部１６０は、「番組Ａ〜Ｃ」、「書籍Ａ〜Ｃ」、および「雑貨Ｂ」に関する情報を、ユーザ１に提供する情報として生成し、情報提供装置４００に送信する。ここで、「書籍Ａ〜Ｃ」、および「雑貨Ｂ」に関する情報とは、当該ユーザが実際に購入またはレンタルした書籍や雑貨そのものではなく、「書籍Ａ〜Ｃ」や「雑貨Ｂ」のカテゴリーには属するが、当該ユーザが実際には購入またはレンタルしていないものに関する情報であってよい。
【００３７】
これによって、情報生成部１６０は、ユーザの嗜好と、当該ユーザと生活パターンが類似するグループにおける嗜好の共通部分、すなわちユーザの嗜好のうち、真に情報を必要とする可能性が高いと考えられる嗜好についての情報を生成することができる。この結果、情報生成部１６０は、ユーザにとって価値のある提案を行うための情報を生成することができる。
【００３８】
以上説明した第２実施形態の情報処理装置１００によれば、電子機器からデータベース管理システム２００を介して取得した情報に基づいてユーザの生活パターンを類型化し、類型化されたユーザの生活パターンと、ユーザについての嗜好に関する情報とに基づき、ユーザに提供する情報を生成するため、ユーザにとって価値のある提案を行うための情報を生成することができる。
【００３９】
＜第３実施形態＞
以下、本発明の第３実施形態に係る情報処理装置１００、およびその情報提供方法について説明する。第３実施形態に係る情報処理装置１００は、情報生成部１６０の処理が第１実施形態と異なり、その他の機能部の処理は第１実施形態と共通するため、ここでは情報生成部１６０の処理についてのみ説明する。
【００４０】
第３実施形態に係る情報生成部１６０は、パターン化されたユーザの嗜好に関する情報（図７参照）と、生活パターンが類似するグループ毎にユーザの嗜好に関する情報が集計された情報（図８参照）との双方を含む情報を、当該ユーザに提供する情報として生成する。図７および図８の例では、情報生成部１６０は、「番組Ａ〜Ｄ」、「書籍Ａ〜Ｃ」、および「雑貨Ｂ」に関する情報を、ユーザ１に提供する情報として生成し、情報提供装置４００に送信する。これによって、情報生成部１６０は、ユーザの嗜好と、当該ユーザと生活パターンが類似するグループにおける嗜好との双方をカバーするように、情報を生成することができる。この結果、情報生成部１６０は、ユーザにとって価値のある提案を行うための情報を生成することができる。
【００４１】
以上説明した第３実施形態の情報処理装置１００によれば、電子機器からデータベース管理システム２００を介して取得した情報に基づいてユーザの生活パターンを類型化し、類型化されたユーザの生活パターンと、ユーザについての嗜好に関する情報とに基づき、ユーザに提供する情報を生成するため、ユーザにとって価値のある提案を行うための情報を生成することができる。
【００４２】
＜第４実施形態＞
以下、本発明の第４実施形態に係る情報処理装置１００ａ、およびその情報提供方法について説明する。図１０は、第４実施形態に係る情報処理装置１００ａの機能構成の一例を示す図である。第４実施形態に係る情報処理装置１００ａは、第１〜第３実施形態の情報処理装置１００が有する構成要素に加えて、属性情報生成部１５５を備える。なお、ネットワークＮＷに接続される他の機器については図示を省略し、図１を援用することとする。
【００４３】
属性情報生成部１５５は、操作／作動履歴情報２１０や購入／レンタル履歴情報２２０に基づき、ユーザの属性情報を生成する。ユーザの属性情報とは、例えば、ユーザの家族構成（単身、夫婦二人、二世帯、シルバー、育児世帯など）、性別、年齢層などを含む情報である。また、ユーザの属性情報は、ユーザの嗜好に関する情報を加味したもの（例えば、「料理好きの単身」、「スポーツ好きの単身」、「映画好きのシルバー」、「読書好きのシルバー」といったもの）であってよい。
【００４４】
属性情報は、特定の家族構成や年齢層をターゲットとしたテレビ番組（育児番組や通販番組等）の視聴履歴や商品（例えば、紙おむつ等）の購入履歴に基づいて推定される他、操作／作動履歴情報２１０に基づいて推定することができる。例えば、電子機器が操作された時間から、１日のうちの在宅時間が取得でき、洗濯機の洗濯物の量や洗濯頻度、電子レンジの作動頻度などから、おおよその家族構成が把握される。例えば、単身者による洗濯機の操作は、朝と夜に集中することが想定され、子供のいる家庭では、いない家庭に比して、夕方等における洗濯量が多くなることが想定される。属性情報生成部１５５は、これらの情報を組み合わせることにより、ユーザの属性情報を適切に生成することができる。
【００４５】
そして、第４実施形態に係る情報生成部１６０は、例えば、類型化処理部１５０によって類型化されたユーザの生活パターンと、ユーザについての嗜好に関する情報と、ユーザの属性情報とに基づいて、ユーザに提供する情報を生成する。情報生成部１６０は、例えば、ユーザ１が属するグループ１に対応する嗜好（図７および図８の例では「番組Ａ〜Ｄ」、「書籍Ａ〜Ｃ」、および「雑貨Ｂ」）の中から、ユーザ１の属性に合致したものを選択し、ユーザ１に提供する情報を生成する。例えば、ユーザ１の属性情報が「単身者」である場合、雑貨Ｂに属する商品等のうち、単身者向けのサイズや価格帯のものをデータベース（不図示）から抽出し、ユーザ１に提供する情報として生成する。また、ユーザの属性情報が「シルバー」である場合、「シルバー世代の好む映画」などがユーザに提供される情報として生成され、ユーザの属性情報が「単身者（ビジネスマン）」である場合は「ビジネスマン必読書」などがユーザに提供される情報として生成されてよい。なお、第４実施形態に係る情報生成部１６０は、少なくともユーザの属性情報に基づいて、ユーザに提供する情報を生成すればよく、他の要素（ユーザの生活パターンおよびユーザについての嗜好に関する情報）を参照せずに、ユーザに提供する情報を生成してもよい。この場合、情報生成部１６０は、ユーザの属性情報が「シルバー」であれば、「シルバー世代の好む」種々のコンテンツや商品を、ユーザに提供する情報に含めてよい。
【００４６】
係る処理によって、情報処理装置１００ａは、ユーザの生活パターンや属性情報（家族構成、性別、年齢層など）に応じた情報を生成し、ユーザに提供させることができる。この結果、ユーザにとって価値のある提案を行うための情報を生成することができる。
【００４７】
以上説明した第４実施形態の情報処理装置１００ａによれば、電子機器からデータベース管理システム２００を介して取得した情報に基づいてユーザの生活パターンを類型化し、類型化されたユーザの生活パターンに基づきユーザの属性情報を生成し、属性情報に基づきユーザに提供する情報を生成するため、ユーザにとって価値のある提案を行うための情報を生成することができる。
【００４８】
なお、第４実施形態において、図３で説明したようなカードとの連携は必須の構成でない。この場合、ユーザの嗜好に関する情報は、ユーザに提供する情報を生成する処理から除外されてよく、情報生成部１６０は、ユーザの生活パターンと、ユーザの属性情報とに基づいて、ユーザに提供する情報を生成してよい。例えば、情報生成部１６０は、ユーザの属性情報が「単身者」である場合、単身者向けのサイズや価格帯の商品等を広くデータベース（不図示）から抽出し、ユーザに提供する情報として生成する。また、情報生成部１６０は、電子機器から取得可能な範囲内で、ユーザの嗜好に関する情報を生成し、ユーザに提供する情報に反映させてよい。
【００４９】
また、第４実施形態において、ユーザについての情報が少ないことにより属性情報生成部１５５が属性情報を生成できない場合、生活パターンに基づくグループに対して属性情報を割り当ててもよい。例えば、図７の例では、グループ１に属するユーザは単身者であり、グループ２に属するユーザは専業主婦である、といった属性情報を割り当て、ユーザの属性情報が個別に生成できない場合は、当該ユーザの属するグループに割り当てられた属性情報を、当該ユーザの属性情報としてもよい。また、そもそも個別に属性情報を生成せず、グループに対して割り当てられた属性情報を、グループ内の全てのユーザに適用してもよい。
【００５０】
＜変形等＞
以上、本発明を実施するための形態について実施形態を用いて説明したが、本発明はこうした実施形態に何等限定されるものではなく、本発明の要旨を逸脱しない範囲内において種々の変形及び置換を加えることができる。
【００５１】
例えば、上記各実施形態における類型化処理部１５０は、複数のクラスタリング処理を組み合わせて行ってもよい。図１１は、類型化処理部１５０が、テレビ視聴履歴に基づいて複数のクラスタリング処理を行う様子を模式的に示す図である。類型化処理部１５０は、例えば、時間帯毎の視聴時間を特徴ベクトルとするクラスタリング処理（実施形態と同じ）と、チャンネル毎の視聴時間を特徴ベクトルとするクラスタリング処理と、番組ジャンル毎の視聴時間を特徴ベクトルとするクラスタリング処理とを組み合わせ、組み合わせに応じてより多くの生活パターンに応じたグループに、ユーザを割り振ってもよい。
【００５２】
また、上記各実施形態における類型化処理部１５０は、複数のユーザを生活パターンでグループ化することにより、ユーザの生活パターンを類型化するものとしたが、予め用意した「早起きタイプ」、「夜型タイプ」などの絶対的なタイプのいずれかに当てはめることによって、ユーザの生活パターンを類型化してもよい。
【００５３】
本発明は、以下の態様で実施することができる。なお、下記の参照符号は、あくまで一例であり、本発明はこれに限定されるものではない。
（付記１）
家庭内に設置可能な電子機器（１―１、１―２、１―ｍ、２―１、２―２、２―ｋ、ｎ―１）の操作履歴（２１０）を取得する操作履歴取得部と、前記操作履歴取得部により取得された操作履歴に基づいて、前記電子機器を操作したユーザの生活パターンを類型化する類型化部（１５０）と、を備える情報処理装置（１００、１００ａ）。
（付記２）
付記１記載の情報処理装置であって、前記類型化部は、前記操作履歴取得部により取得された操作履歴が類似するユーザを、生活パターンが類似するユーザとしてグループ化することにより、前記電子機器を操作したユーザの生活パターンを類型化する、情報処理装置。
（付記３）
付記１または２記載の情報処理装置であって、前記類型化部により類型化されたユーザの生活パターンに基づいて、当該ユーザに提供する情報を生成する情報生成部（１６０）を更に備える、情報処理装置。
（付記４）
付記３記載の情報処理装置であって、ユーザの嗜好に関する情報を取得する嗜好情報取得部（１３０、１４０）を更に備え、前記情報生成部は、前記類型化部により類型化されたユーザの生活パターンと、当該ユーザについて前記嗜好情報取得部により取得された嗜好に関する情報とに基づき、当該ユーザに提供する情報を生成する、情報処理装置。
（付記５）
付記４記載の情報処理装置であって、前記情報生成部は、前記ユーザが属するグループ内のユーザについての嗜好に関する情報を集計した情報と、当該ユーザの嗜好に関する情報との重複部分を除いた情報を、当該ユーザに提供する情報として生成する、情報処理装置。
（付記６）
付記４記載の情報処理装置であって、前記情報生成部は、前記ユーザが属するグループ内のユーザについての嗜好に関する情報を集計した情報と、当該ユーザの嗜好に関する情報との重複部分に関する情報を、当該ユーザに提供する情報として生成する、情報処理装置。
（付記７）
付記４記載の情報処理装置であって、前記情報生成部は、前記ユーザが属するグループ内のユーザについての嗜好に関する情報を集計した情報と、当該ユーザの嗜好に関する情報との双方を含む情報を、当該ユーザに提供する情報として生成する、情報処理装置。
（付記８）
付記３から７のうちいずれか１項記載の情報処理装置であって、前記類型化部により類型化されたユーザの生活パターンを含む情報に基づいて、当該ユーザの属性情報を生成する属性情報生成部を更に備え、前記情報生成部は、前記属性情報生成部により生成された属性情報に基づき、当該ユーザに提供する情報を生成する、情報処理装置。
（付記９）
家庭内に設置可能な電子機器であって、特定のユーザに対応付けられた電子機器が、該電子機器の操作履歴を送信し、前記情報処理装置が、前記電子機器より取得した操作履歴に基づき、操作履歴が類似するユーザを、生活パターンが類似するユーザとしてグループ化することにより、ユーザの生活パターンを類型化すると共に、該類型化されたユーザの生活パターンに基づいて、当該ユーザに提供する情報を生成して情報提供装置に送信し、前記情報提供装置が、前記情報処理装置より取得した情報を当該ユーザに提供する、情報提供方法。
【符号の説明】
【００５４】
１００、１００ａ‥情報処理装置、１１０‥ＣＰＵ、１３０‥操作／作動履歴取得部、１４０‥購入／レンタル履歴取得部、１５０‥類型化処理部、１５５‥属性情報生成部、１６０‥情報生成部、２００‥データベース管理システム、３００‥販売／レンタル管理装置、４００‥情報提供装置、ＮＷ‥ネットワーク
【図１】
2014215889.tif 000003
【図２】
2014215889.tif 000004
【図３】
2014215889.tif 000005
【図４】
2014215889.tif 000006
【図５】
2014215889.tif 000007
【図６】
2014215889.tif 000008
【図７】
2014215889.tif 000009
【図８】
2014215889.tif 000010
【図９】
2014215889.tif 000011
【図１０】
2014215889.tif 000012
【図１１】
2014215889.tif 000013
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
家庭内に設置可能な電子機器の操作履歴をユーザ毎に取得する操作履歴取得部と、
前記操作履歴取得部により取得された操作履歴が類似するユーザを、生活パターンが類似するユーザとしてグループ化することにより、前記電子機器を操作したユーザの生活パターンを類型化する類型化部と、
ユーザの嗜好に関する嗜好情報をユーザ毎に取得する嗜好情報取得部と、
前記電子機器を操作したユーザが属するグループ内の各ユーザについての嗜好情報を集計した情報に基づき当該ユーザに提供する情報を生成する情報生成部と、
を備える情報処理装置。
【請求項２】
家庭内に設置可能な電子機器の操作履歴をユーザ毎に取得する操作履歴取得部と、
前記操作履歴取得部により取得された操作履歴が類似するユーザを、生活パターンが類似するユーザとしてグループ化することにより、前記電子機器を操作したユーザの生活パターンを類型化する類型化部と、
ユーザの嗜好に関する嗜好情報をユーザ毎に取得する嗜好情報取得部と、
前記ユーザ毎の嗜好情報に基づいて、当該ユーザの属性情報を生成する属性情報生成部と、
前記電子機器を操作したユーザが属するグループ内の各ユーザについての嗜好情報を集計した情報と、前記ユーザの属性情報に基づき当該ユーザに提供する情報を生成する情報生成部と、
を備える情報処理装置。
【請求項３】
家庭内に設置可能な電子機器であって、特定のユーザに対応付けられた電子機器が、該電子機器の操作履歴を送信し、
データベース管理システムが、ユーザ毎に前記操作履歴とユーザの嗜好に関する嗜好情報を取得し、
情報処理装置が、前記データベース管理システムより取得した操作履歴が類似するユーザを、生活パターンが類似するユーザとしてグループ化することにより、前記電子機器を操作したユーザの生活パターンを類型化し、
前記データベース管理システムより前記嗜好情報をユーザ毎に取得し、
前記電子機器を操作したユーザが属するグループ内の各ユーザについての嗜好情報を集計した情報に基づいて生成した情報を、当該ユーザに提供する、
情報提供方法。
【請求項４】
家庭内に設置可能な電子機器であって、特定のユーザに対応付けられた電子機器が、該電子機器の操作履歴を送信し、
データベース管理システムが、ユーザ毎に前記操作履歴とユーザの嗜好に関する嗜好情報を取得し、
情報処理装置が、前記データベース管理システムより取得した操作履歴が類似するユーザを、生活パターンが類似するユーザとしてグループ化することにより、前記電子機器を操作したユーザの生活パターンを類型化し、
前記データベース管理システムより前記嗜好情報をユーザ毎に取得し、
前記ユーザ毎の嗜好情報に基づいて、当該ユーザの属性情報を生成し、
前記電子機器を操作したユーザが属するグループ内の各ユーザについての嗜好情報を集計した情報と、前記ユーザの属性情報に基づいて生成した情報を、当該ユーザに提供する、
情報提供方法。
【手続補正２】
【補正対象書類名】明細書
【補正対象項目名】０００８
【補正方法】変更
【補正の内容】
【０００８】
本発明の一態様は、家庭内に設置可能な電子機器の操作履歴をユーザ毎に取得する操作履歴取得部と、前記操作履歴取得部により取得された操作履歴が類似するユーザを、生活パターンが類似するユーザとしてグループ化することにより、前記電子機器を操作したユーザの生活パターンを類型化する類型化部と、ユーザの嗜好に関する嗜好情報をユーザ毎に取得する嗜好情報取得部と、前記電子機器を操作したユーザが属するグループ内の各ユーザについての嗜好情報を集計した情報に基づき当該ユーザに提供する情報を生成する情報生成部と、を備える情報処理装置である。